(57)【要約】【課題】スクリーン上の画像ずれを防止することが可能な投写型画像表示装置を提供することを目的とする。【解決手段】光源から出射した光を変調する光学エンジンと、光学エンジンから出射した光が投写されるスクリーンとをメインフレームにおいてまとめて保持するようにし、このメインフレームを別体で形成したボトムフレームによって支持するように構成することで、ボトムフレーム側で生じた歪みがメインフレームに伝わらないようにした。【選択図】        図２
2011007940.tif 000002
【特許請求の範囲】
【請求項１】
光を出射する光源と、
前記光源から出射した光を変調する光学エンジンと、
前記光学エンジンから出射した光が投写されるスクリーンと、
前記光学エンジン及び前記スクリーンを保持するメインフレームと、
前記メインフレームを支持するボトムフレームと
を備える投写型表示装置。
【請求項２】
前記ボトムフレームは、前記メインフレームよりも剛性が低いことを特徴とする請求項１に記載の投写型表示装置。
【請求項３】
前記メインフレームは、前記光学エンジンを保持する保持フレームと、当該保持フレームに接続され前記スクリーンを保持するスクリーンフレームと、前記保持フレーム及び前記スクリーンフレームに接続される背面フレームとを有し、
前記スクリーンフレームの上端部は、前記背面フレームの一端部と接続し、
前記背面フレームの他端部は、前記保持フレームの上端部と接続し、
前記保持フレームの下端部は、前記スクリーンフレームの下端部と接続すること
を特徴とする請求項１または２に記載の投写型表示装置。
【請求項４】
前記ボトムフレームは、前記スクリーンフレームに接続される底面部と、当該底面部から上方に向かって延在し、前記保持フレームに接続される柱状部とを有することを特徴とする請求項３に記載の投写型表示装置。
【請求項５】
前記柱状部は、前記底面部に接続される直状部と、当該直状部の上端側に設けられ、当該直状部の長手方向に対し前記保持フレーム側に傾斜した傾斜部とを有することを特徴とする請求項４に記載の投写型表示装置。
【請求項６】
前記ボトムフレームは、複数の前記柱状部を有することを特徴とする請求項５に記載の投写型表示装置。
【請求項７】
前記光学エンジンから出射した光を前記スクリーンに向かって反射する反射ミラーをさらに備え、
前記背面フレームは、前記反射ミラーを保持することを特徴とする請求項３〜６のいずれか１項に記載の投写型表示装置。
【請求項８】
前記メインフレームは、前記光学エンジンを保持し、前記ボトムフレームが接続される保持フレームを有し、
前記保持フレームの前記ボトムフレームが接続する面は、前記ボトムフレームよりも剛性が高いことを特徴とする請求項１に記載の投写型表示装置。
【請求項９】
光を出射する光源と、
前記光源から出射した光を変調する光学エンジンと、
前記光学エンジンから出射した光が投写されるスクリーンと、
前記光学エンジンを保持する保持フレーム、当該保持フレームに接続され前記スクリーンを保持するスクリーンフレーム、及び前記保持フレーム及び前記スクリーンフレームに接続される背面フレームを有するメインフレームと
を備え、
前記スクリーンフレームの上端部は、前記背面フレームの一端部と接続し、
前記背面フレームの他端部は、前記保持フレームの上端部と接続し、
前記保持フレームの下端部は、前記スクリーンフレームの下端部と接続すること
を特徴とする投写型表示装置。
【請求項１０】
前記底面部の下に、当該底面部よりも剛性の低い底部をさらに備える請求項４〜６、及び８のうちいずれか１項に記載の投写型表示装置。
【請求項１１】
前記光源は、前記メインフレームに設けられ、複数の波長の光を出射し、
前記光学エンジンは、前記光源から出射した前記複数の波長の光を合成するダイクロイックプリズムを有し、当該ダイクロイックプリズムで合成した光を変調するものであること
を特徴とする請求項１〜１０のいずれか１項に記載の投写型表示装置。
【請求項１２】
前記光源からの光を前記光学エンジンに伝送する光ファイバをさらに備え、
前記光源は前記ボトムフレーム上に配置されること
を特徴とする請求項１〜１１のいずれか１項に記載の投写型表示装置。
【発明の詳細な説明】
【技術分野】
【０００１】
本発明は投写型表示装置の筐体構造に関するものである。
【背景技術】
【０００２】
投写型表示装置は、光源からの光を光学エンジンにおいて変調して映像光とし、その映像光をミラーで反射してスクリーンに投写することで画像を表示する。従来の投写型表示装置には、光源及び光学エンジンが搭載されるボトムキャビネットと、そのボトムキャビネットにより支持されるリアカバーと、リアカバーに取り付けられ前記光学エンジンからの映像光を反射するミラーと、ミラーにより反射された映像光が投写されるスクリーンと、スクリーンが取り付けられるフロントカバーとから構成されるものがある（特許文献１）。また、ボトムフレームに光源と光学ユニットを配置し、光学ユニットから装置上方に向かって出射した光を、トップフレームに保持された投影ミラーで反射し、ボトムフレーム、サイドフレーム、及びトップフレームからなる構造体により保持されたスクリーンに向かって投写するものがある（特許文献２）。
【先行技術文献】
【特許文献】
【０００３】
【特許文献１】特開２００８−７６９０１号公報（第９頁、第５図）
【特許文献２】特開２００７−１８３３０１号公報（第５頁、第５図）
【発明の概要】
【発明が解決しようとする課題】
【０００４】
上記特許文献１は、ボトムキャビネットで光学エンジンを保持していることから、リアカバー及びフロントカバーに保持されたミラー及びスクリーンと光学エンジンとの間の位置関係がずれやすく、スクリーン上の画像に画像ずれが生じやすいという問題がある。また、上記特許文献２についても同様に、ボトムフレームで光学ユニットを保持していることから、トップフレームに保持された投影ミラー及び構造体に保持されたスクリーンと光学ユニットとの間の位置関係がずれやすく、スクリーン上の画像に画像ずれが生じやすいという問題がある。
【０００５】
この発明は上記のような課題を解決するためになされたもので、スクリーン上の画像ずれを防止することが可能な投写型表示装置を提供することを目的とする。
【課題を解決するための手段】
【０００６】
本願発明に係る投写型表示装置は、光を出射する光源と、光源から出射した光を変調する光学エンジンと、光学エンジンから出射した光が投写されるスクリーンと、光学エンジン及びスクリーンを保持するメインフレームと、メインフレームを支持するボトムフレームとを備えるものである。
【０００７】
また、本願発明に係る投写型表示装置は、光を出射する光源と、光源から出射した光を変調する光学エンジンと、光学エンジンから出射した光が投写されるスクリーンと、光学エンジンを保持する保持フレーム、当該保持フレームに接続されスクリーンを保持するスクリーンフレーム、及び保持フレーム及びスクリーンフレームに接続される背面フレームを有するメインフレームとを備え、スクリーンフレームの上端部は、背面フレームの一端部と接続し、背面フレームの他端部は、保持フレームの上端部と接続し、保持フレームの下端部は、スクリーンフレームの下端部と接続することとしたものである。
【発明の効果】
【０００８】
本発明に係る投写型表示装置によれば、スクリーン上の画像ずれを防止することができる。
【図面の簡単な説明】
【０００９】
【図１】本発明の実施の形態１に係る投写型表示装置の光学系を示す概略図である。
【図２】本発明の実施の形態１に係る投写型表示装置の筐体構造を示す背面斜視図である。
【図３】本発明の実施の形態１に係る投写型表示装置の筐体構造を示す分解斜視図である。
【図４】本発明の実施の形態１に係る投写型表示装置のフレーム構成の概略を示す側面図である。
【図５】本発明の実施の形態１に係る投写型表示装置を凹凸のある床面に設置した状態を示す断面図である。
【図６】本発明の実施の形態１に係る投写型表示装置の背面カバーの構成を示す分解斜視図である。
【図７】本発明の実施の形態１に係る投写型表示装置において、天板ミラー３を背面フレーム６に配置した状態を示す斜視図である。
【図８】本発明の実施の形態１に係る投写型表示装置において、天板ミラー３を懸架する構造を示す斜視図である。
【図９】本発明の実施の形態２に係る投写型表示装置を壁に掛けた状態を示す断面図である。
【図１０】本発明の他の実施の形態に係る投写型表示装置を示す断面図である。
【図１１】本発明の実施の形態４に係る投写型表示装置の組立前の斜視図である。
【図１２】本発明の他の実施の形態に係る投写型表示装置におけるの支持板を示す斜視図である。
【発明を実施するための最良の形態】
【００１０】
実施の形態１．
以下、この発明の実施の形態１を図に基づいて説明する。図１は、本発明の実施の形態１に係る投写型表示装置の光学系を示す概略図である。図１において、投写型表示装置の光学系は、光源ユニット１、光学エンジン２、天板ミラー３、及びスクリーン４から構成されている。光源ユニット１は光源１０１を有している。光学エンジン２は、ダイクロイックプリズム２０１、ミキシングロッド２０２、ＤＭＤ（デジタルミラーデバイス）２０３、折り返しミラー２０４、非平面ミラー２０５から構成されている。
【００１１】
光源１０１は、赤、青、緑の三色の光を出射する３つのレーザ発信器から構成されており、光源ユニット１からは波長の異なる３つのレーザ光が光学エンジン２に出射される。光学エンジン２のダイクロイックプリズム２０１は、光源ユニット１から出射された３つのレーザ光を合成する合成手段である。ミキシングロッド２０２は、ダイクロイックプリズム２０１で合成されたレーザ光の強度分布を均一化する光強度均一化素子である。ＤＭＤ２０３は、外部から入力された画像信号に基づいてミキシングロッド２０２で均一化されたレーザ光を空間変調することで情報を与える変調手段である。折り返しミラー２０４は、ＤＭＤ２０３にて変調されたレーザ光を非平面ミラー２０５に向けて反射する。非平面ミラー２０５は、折り返しミラー２０４で反射されたレーザ光を天板ミラー３へ反射する。非平面ミラー２０５の反射面は、反射した光が集光した後に拡散するように形成されているので、反射するレーザ光の広がり角を大きくすることができる。天板ミラー３は、光学エンジン２の上方に配置されており、光学エンジン２から上方に出射した光をスクリーン４へ向けて反射する。天板ミラー３により反射されたレーザ光はスクリーン４に投写される。これによりスクリーン４にはＤＭＤ２０３に入力された画像信号に対応した画像が表示される。
【００１２】
図２は光源ユニット１と光学エンジンを取り付ける前の筐体構造を示す背面斜視図である。図３は投写型表示装置の筐体構造を示す分解斜視図である。図２及び図３において、図１と同一または対応する構成については同一符号を付し、説明を省略する。
【００１３】
図２及び図３において、投写型表示装置の筐体は、メインフレーム１１、及びその背面に固定され床面に対して自立するボトムフレーム２０から構成されている。メインフレーム１１とボトムフレーム２０とは互いに分離した構造となっている。メインフレーム１１は、スクリーン４を保持するスクリーンフレーム５、天板ミラー３を保持する背面フレーム６、及び光源ユニット１と光学エンジン２を保持する保持フレーム７により構成される。
【００１４】
背面フレーム６は、台形状の形状を有しており、四角形状をしたスクリーンフレーム５の上辺の両端部にネジ止めによって固定されている。保持フレーム７は、スクリーン４の背面側に左右対称に配置され上下に延在する直方体状の２つの支持部材７１と、当該２つの支持部材７１間を連結する連結部材７２とから構成されている。２つの支持部材７１は、上端部でネジ止めによって背面フレーム６に固定され、下端部でスクリーンフレーム５の下辺にネジ止めされている。このように、スクリーンフレーム５、背面フレーム６、及び保持フレーム７は、互いにネジにより固定されている。なお、連結部材７２には、光源ユニット１及び光学エンジン２が取り付けられる。
【００１５】
天板ミラー３を保持する背面フレーム６は、保持フレーム７によって筐体の上部から下部にかけ、背面から前面の方向に向かって斜めに設置されている。このように設置することで、天板ミラー３の荷重を保持フレーム７が受け、突っ張り棒の役目を果たすようにできる。そのため、背面フレーム６が取り付けられているスクリーンフレーム５に生じるモーメント、及び背面フレーム６そのもののモーメントを抑制することができる。なお、メインフレーム１１を構成するスクリーンフレーム５、背面フレーム６、及び保持フレーム７は、軽量化のためそれぞれアルミにより成形されている。
【００１６】
図２に示すようにボトムフレーム２０は、床面に対し略平行に配置される２つの底面部２０ａと、当該２つの底面部２０ａから上方に垂直に延在する２つの柱状部２０ｂと、当該２つの柱状部２０ｂを連結する連結部２０ｃとからなる。２つの底面部２０ａと２つの柱状部２０ｂとはメインフレーム１１を支持する略Ｌ字形状の２本の足になるように形成されている。柱状部２０ｂは、直状部２０ｄと、当該直状部２０ｄの上端側に設けられ、直状部２０ｄの長手方向に対し保持フレーム７側に傾斜した傾斜部２０ｅとから構成されている。この２本の足をそれぞれ構成する底面部２０ａ、柱状部２０ｂは、必要な強度を得るために軟鉄の板金から形成されている。ボトムフレーム２０の底面部２０ａには下部接続部２１が形成されており、保持フレーム７の下端部がネジ止めにより固定されている。傾斜部２０ｅの上端部と保持フレーム７とは上部接続部２２でネジ止めにより固定されている。なお、図２では、図３の底板部２０ｆ及び連結部２０ｃの記載を省略している。
【００１７】
図２に示すようにボトムフレーム２０の底面部２０ａを座面とし、投写型表示装置をローボード等の台に置いて設置することもできるが、図３に示すように底面部２０ａの下にさらに設けた底板部２０ｆを座面とすることもできる。底板部２０ｆを設けた場合には、防塵性を高めることができる。また、底板部２０ｆをプラスティックのような剛性の低い部材で形成すると、投写型表示装置の足元の剛性を低くすることができる。そのため、ボトムフレーム２０の柱状部２０ｂの重力方向（スクリーン４の短辺方向）の剛性をメインフレーム１１を支持するに十分な水準に保ったまま、
底面から力がかかった場合の剛性を低くすることができる。なお、直状部２０ｄに形成された４つの穴２０ｇは、投写型表示装置を壁にかけて設置する場合のネジ穴である。壁掛けの実施形態ついては後述する。
【００１８】
図４は投写型表示装置のフレーム構成の概略を示す側面図である。図１〜３の構成と同一又は対応するものには、同一の符号を付し説明を省略する。図４に示すように、メインフレーム１１は側面視で三角形のトラス構造と似た構造となっており、この構造により高い剛性を得ることができる。すなわち、スクリーンフレーム５、背面フレーム６、及び保持フレーム７の３つのフレームが連結する場合に、１つのフレームに係る力の一部の成分が、他の２つのフレームを構成する部材の長手方向に発生するように、当該他の２つのフレームを前記１つのフレームに連結することで、メインフレーム１１の剛性を高めることができる。
【００１９】
２つの柱状部２０ｂは傾斜部２０ｅを有しているので、図４に示すように、ボトムフレーム２０とメインフレーム１１で形成される接続構造は側面視で、下部接続部２１から底面部２０ａ、直状部２０ｄ、傾斜部２０ｅ、上部接続部２２を通って下部接続部２１に戻る閉直線が示す四角形となる。四角形は構造上三角形よりも変形しやすいため、メインフレーム１１に対するボトムフレーム２０側の剛性を低減させることができる。また、ボトムフレーム２０を構成する各部材はボトムフレーム２０の剛性を低くするために薄肉化されている。このように、ボトムフレーム２０はメインフレーム１１よりも剛性が低く形成されているので、ボトムフレーム２０に外力が加わっても、その外力はボトムフレーム２０によって吸収され、メインフレーム１１上の光学部品間の位置ずれが発生しにくい。
【００２０】
次に、このように構成された投写型表示装置のフレーム構造において、設置条件が装置に及ぼす影響について説明する。比較のために、まず従来の投写型表示装置を凹凸のある床面に装置を設置した場合について説明する。従来の投写型表示装置を凹凸のある床面に装置を設置すると、ボトムフレーム２０の底面部２０ａから筐体にその影響が伝わる。仮に筐体が剛体であったとすると、床面の凹凸により筐体が地面に対して傾くが、筐体は変形しないため光学エンジン２、天板ミラー３、スクリーン４の相対位置は変化せず、画像のずれは発生しない。しかし実際には筐体は剛体でないため、歪みが発生する。床面に凹凸があるとボトムフレーム２０の底面部２０ａが歪み、その歪が保持フレーム７に伝わる。保持フレーム７に伝わった歪みはさらにスクリーンフレーム５に伝わるため、結果的に光学エンジン２、天板ミラー３、スクリーン４の相対位置がずれて画像のずれが発生することになる。
【００２１】
一方、実施の形態１に係る投写型表示装置は、凹凸のある床面に装置を設置しても以下の理由により光学エンジン２、天板ミラー３、スクリーン４の相対位置が変化しない。この理由について図５を用いて説明する。図５は、装置が床面の段差３０に乗り上げ、ボトムフレーム２０が歪んだときの状態を示す様子を示す概略側断面図である。図５において、ボトムフレーム２０は図３及び図４に示すように左右に分離した２つの柱状部２０ｂを有するため、片側の柱状部２０ｂのみが図５中のα方向にねじられるように変形する。このとき、ボトムフレーム２０はメインフレーム１１に対して剛性が低く構成されているため、図５に示すようにボトムフレーム２０の底面部２０ａは変形するが、メインフレーム１１にはほとんど変形が及ばない。このように、光学部品を配置したメインフレーム１１に生じる変形が少なく、変形のほとんどがボトムフレーム２０側で生じるため、結果として、光学エンジン２、天板ミラー３、スクリーン４の各々の相対位置が維持される。従って、実施の形態１に係る画像表示装置は床面の凹凸の影響を受けにくい。
【００２２】
図６は、背面カバーの構成を示す分解斜視図である。図３と同一または対応する構成については同一の符号を付し、説明を省略する。図６において、背面カバーは光源ユニット１または光学エンジン２から出射された光が装置外部に漏れ出さないように筐体の背面を覆うカバーであり、第１の背面カバー４１と第２の背面カバー４２とにより構成されている。第１の背面カバー４１は、メインフレーム１１を覆い、当該メインフレーム１１に締結されている。第２の背面カバー４２は、ボトムフレーム２０を覆い、当該ボトムフレーム２０に締結されている。
【００２３】
背面カバーを１部品で構成すると、当該１部品の背面カバーをメインフレーム１１及びボトムフレーム２０に締結することになる。そのため、ボトムフレーム２０の変形が当該背面カバーを介してメインフレーム１１に伝わり、結果としてメインフレーム１１が変形し、光学部品の相対位置を変化させてしまうという問題がある。
【００２４】
一方、上述のように、第１の背面カバー４１と第２の背面カバー４２を別部品で構成すると、ボトムフレーム２０の変形により第２の背面カバー４２に伝わった歪みが第１の背面カバー４１には伝わらない。従って、メインフレーム１１はボトムフレーム２０の変形の影響を受けにくい。
【００２５】
次に、図７を用いて天板ミラー３について説明する。図７は、背面フレーム６に、天板ミラー３を配置した状態を示した斜視図である。天板ミラー３は、大型の画像表示装置に適用されているため、７５型で長手方向が概ね１．６ｍ程度の非常に大きなものである。通常、板厚３ｍｍ程度のガラスを用いるため、図７に実線で示すように、点線で示す変形前の位置から自重によって中央部が６ｍｍ程度下がるように変形する。一方、画像を投写する際、天板ミラー３の変形は、そのまま画像の変形となるため、自重による変形を抑えることが必要となる。
【００２６】
図８は、投写型表示装置の、天板ミラー３の支持構造を示した斜視図である。図８においては、自重による変形を抑えるために、天板ミラー３の裏面に梁部材８を両面テープなどにより貼り付けるとともに、背面フレーム６の中央部に設けた補強フレーム９から突出したフック部１０を梁部材８に形成された引掛部１２に引掛けることで梁部材８の略中央部を懸架するよう構成されている。このように、天板ミラー３の懸架構造においては、自重によって変形する天板ミラー３を変形が大きい中央部で吊り上げることで、平面性を確保する構成となっている。
【００２７】
一方で、補強部材のみで天板ミラー３の平面性を確保することも考えられるが、補強部材の自重変形も加味した補強を講じる必要があり、大幅な重量増加につながることが考えられる。実施の形態１に係る構成によれば、剛性で変形を抑制する構造と比較して補強部材の剛性を上げる必要がないため、より軽量にフレームを構成できるメリットがある。
【００２８】
光源ユニット１から出射された光を天板ミラー３で反射してスクリーン４に投写する投写型表示装置においては、光源ユニット１からスクリーン４に至るまでの光路が長いため、光学部品間の角度が０．１度ずれただけでもスクリーン４上の画像が１０ｍｍ近くずれてしまうが、実施の形態１に係る投写型表示装置のように、メインフレーム１１に光学部品を集約し、このメインフレーム１１をボトムフレーム２０で保持するようにすることで、光学部品間の位置ずれを防ぎ、スクリーン４上の画像ずれを小さくすることができる。
【００２９】
以上のように、本願発明に係る投写型表示装置においては、スクリーンフレーム５、背面フレーム６、及び保持フレーム７をメインフレーム１１として一体に構成するので、各フレームの保持する光学エンジン２、天板ミラー３、スクリーン４の間の組立精度を確保しやすく、相対位置精度を高く保つことができる。
【００３０】
また、ボトムフレーム２０の剛性をメインフレーム１１の剛性よりも小さくすることにより、ボトムフレーム２０の歪みがメインフレーム１１の歪みよりも相対的に大きくなるので、メインフレーム１１の歪みを小さく抑えることができ、光学部品間の位置ずれをさらに抑えることができる。
【００３１】
また、本願発明に係る投写型表示装置は、光学エンジン２が出射したレーザ光を天板ミラー３で折り返すことにより光路を長くしているので、装置の奥行き方向の幅を狭くでき、薄型化することができる。また、非平面レンズ１０３により、図１で説明したように、集光した後に拡散するように光を反射させているので、装置をより小型化することが可能となる。また、スクリーンフレーム５の上辺と背面フレーム６の一端側とを接続し、背面フレーム６の他端側と保持フレーム７の上部を接続し、保持フレーム７の下部とスクリーンフレーム５の下部とを接続するようにしたので、トラス構造のような構造となり、メインフレーム１１の剛性を高めることができる。
【００３２】
なお、光源１０１は、３つのレーザ光を出射する３つのレーザ発信器により構成されるものとしたが、出射するレーザ光の数、及びレーザ発信器の数はこれに限られるものではない。また、スクリーン４上に投写される画像が単色の場合は、特定の波長のレーザ光を出射する１つのレーザ発信器により構成してもよい。
【００３３】
また、各フレームをネジで固定するようにしたが、溶接や接着など他の方法で固定することもできる。
【００３４】
実施の形態２．
実施の形態１では、台上または床面に置いて設置する投写型表示装置について説明したが、壁に掛けて設置することもできる。以下、図９を用いて壁掛け設置する場合について説明する。図９は、実施の形態２に係る投写型表示装置を壁に掛けた場合のメインフレーム１１とボトムフレーム２０の状態を示す概略側断面図である。比較のため、自重による変形が発生していない状態の概略側断面図を破線で示している。
【００３５】
図９において、投写型表示装置のボトムフレーム２０は、直状部２０ｄに設けられた４箇所のネジ穴２０ｇによって壁に対してネジ等で固定されている。図９において、ボトムフレーム２０には、メインフレーム１１の自重により壁面との接続部２０ｈを支点としたモーメントが働く。そのため、ボトムフレーム２０の底面部２０ａ、及び傾斜部２０ｅは図９のβの方向に変形する。しかし、ボトムフレーム２０に対して、メインフレーム１１の剛性を高く形成しているため、メインフレーム１１に生じる変形は少なく、結果として、光学エンジン２、天板ミラー３、スクリーン４の各々の相対位置関係が変化せず維持される。このように、壁に掛けたときもボトムフレーム２０の変形による影響を受けにくい。
【００３６】
以上のように実施の形態２に係る投写型表示装置では、メインフレーム１１が設置対象に対してボトムフレーム２０を介して設置されるため、設置対象の状態や設置条件により生じる変形がボトムフレーム２０側で生じ、メインフレーム１１の変形を抑制することができる。そのため、光学エンジン２、天板ミラー３、スクリーン４の各々の相対位置を維持することができる。
【００３７】
実施の形態３．
実施の形態１及び２では、光源ユニット１から出射したレーザ光を直接光学エンジン２に入射させていたが、レーザ光を伝送する伝送手段を介して入射させることもできる。伝送手段としては、光ファイバを用いることができる。光ファイバを用いる場合は、光源ユニット１から出射される光の波長毎に光ファイバを設け、各々の光ファイバにより伝送されたレーザ光を光学エンジン２に入射するようにすればよい。このとき、実施の形態１と同様に、ダイクロイックプリズム２０１を用いて、各波長の光を合成することもできる。一方で、光ファイバの出射端の径がミキシングロッド２０２の入射端の径よりも十分に小さい場合は、いずれの光ファイバからの出射光もミキシングロッド２０２に入射されるようにしておけば、ダイクロイックプリズム２０１を用いることなく、各レーザ光を合成することができる。
【００３８】
このように、光ファイバのようなフレキシブルに変形する伝送手段を用いた場合、光源ユニット１を保持フレーム７上に配置する必要はなく、例えばボトムフレーム１０上に光源ユニット１を配置して、光学エンジン２と光ファイバで接続することもできる。光源ユニット１をボトムフレーム２０上に配置すると、メインフレーム１１が保持する光学部品を少なくできるので、メインフレーム１１の光学部品の質量による歪みが発生しにくいという効果がある。なお、光源ユニット１は、実施の形態１と同様にメインフレーム１１上に設けてもよい。
【００３９】
上記実施の形態１〜３では、ボトムフレーム２０の下部接続部２１に、保持フレーム７の下端部がネジ止めにより固定されているものとしたが、ボトムフレーム２０と保持フレーム７の下端部は接続されている必要はなく、例えば、図１０に示すように、ボトムフレーム２０上にメインフレーム１１を載置し、スクリーンフレーム５とボトムフレーム２０をネジ止めにより固定するようにしてもよい。
【００４０】
実施の形態４．
実施の形態１では、光学エンジン２から出射したレーザ光を天板ミラー３により反射させることとしていたが、天板ミラー３を設けないようにすることもできる。図１１、実施の形態４の投写型表示装置の組立前の斜視図である。図１１において、図１〜３と同一または対応する構成については同一の符号を付し説明を省略する。
【００４１】
図１１において、光源ユニット１と光学エンジン２は、垂直断面がＬ字状の第１の支持板５１に固定されている。光学エンジン２は、ＤＭＤ２０３と、折り返しミラー２０４と、非平面ミラー２０５で構成されている。光源ユニット１から出射した光は、ＤＭＤ２０３により変調された後に折り返しミラー２０４で反射され、さらに非平面ミラー２０５で反射されてスクリーン４に投写される。
【００４２】
光学エンジン２が搭載されている第１の支持板５１は第２の支持板５２に固定される。また、投射型表示装置の背面側は背面カバー４３で覆われている。第２の支持板５２には４つの突起部材５３が形成されており、第２の支持板５２とボトムフレーム２３はこの４つの突起部材５３をボトムフレーム２３に設けられた４つの通し穴２４に通した状態で固定される。第２の支持板５２の４つの突起部材５３と、ボトムフレーム２３の４つの通し穴２４は、ボトムフレーム２３に第２の支持板５２を取り付けたときに投射型表示装置のボトムフレーム２３を除くその他の部分が宙吊りの状態になる位置に設けられている。
【００４３】
第２の支持板５２の突起部材５３が設けられる背面部の剛性は、ボトムフレーム２３の剛性よりも高くなるように構成されている。これにより、ボトムフレーム２３が設置面の影響等で歪んだ場合にも、第２の支持板５２が歪みにくいため、非平面ミラー２０５とスクリーン４との位置関係を維持することができる。
【００４４】
なお、実施の形態４における支持板５２の形状は、スクリーン４の面と対峙して並行な板と、その左右からスクリーン４の面の垂直方向に幅広になるように延在する２枚の板からなっていたが、この左右から延在する２枚の板に代えて、図１２に示すように、スクリーン４の面と対峙して並行な板の上及び左右からそれぞれ２本ずつ延在する細く軽量な背面フレーム５４を６本設けるようにすることもできる。
【００４５】
また、ボトムフレーム２３をＬ字状の１枚の板としたが、左右対称に配置された複数のＬ字状部材から構成されるようにしてもよい。ボトムフレーム２３を複数のＬ字状部材から構成すると、ボトムフレーム２３の剛性を低下させることができる。
【００４６】
また、図１１では光源ユニット１を第１の支持板５１に設けるようにしたが、実施の形態３のように光ファイバを用いて光源ユニット１と光学エンジン２を接続し、第１の支持板５１以外の場所に設けることもできる。
【００４７】
上記の実施の形態１〜４では、光源１０１としてレーザ光源を用いたが、ＨＩＤ（高輝度放電ランプ）を光源として用いることもできる。ＨＩＤから出射される光は白色光であるため、レーザ光源の場合とは違い、光源からの光を合成するダイクロイックプリズム２０１は必要ない。しかしその代わり、光源１０１からの光を、赤色、青色、緑色に変換するためのカラーホイールをミキシングロッド２０２とＤＭＤ２０３の間に設ける必要がある。また、光源１０１としてＬＥＤを用いることもできる。ＬＥＤの場合は、レーザ光源の場合と同様に、ダイクロイックプリズム２０１で合成するか、光ファイバで伝播したあとにミキシングロッド２０２に入射させる際に合成するようにすればよい。
【００４８】
また、上記の実施の形態１〜４では、メインフレーム１１はボトムフレーム２０により保持され、支持板５２はボトムフレーム２３により保持されるものとしたが、メインフレーム１１及び支持板５２を壁などの設置対象に対して直接設置するようにしてもよい。この場合、設置対象から力を受けたときもメインフレーム１１が歪まないように、当該メインフレーム１１の剛性を高くしておく。
【符号の説明】
【００４９】
１  光源ユニット、  ２  光学エンジン、  ３  天板ミラー、  ４  スクリーン、  ５  スクリーンフレーム、  ６  背面フレーム、  ７  保持フレーム、  ８  梁部材、  ９  補強フレーム、  １０  フック部、  １１  メインフレーム、  ２０、２３  ボトムフレーム、  ３０  床面段差、  ４１  第１の背面カバー、  ４２  第２の背面カバー
【図１】
2011007940.tif 000003
【図２】
2011007940.tif 000004
【図３】
2011007940.tif 000005
【図４】
2011007940.tif 000006
【図５】
2011007940.tif 000007
【図６】
2011007940.tif 000008
【図７】
2011007940.tif 000009
【図８】
2011007940.tif 000010
【図９】
2011007940.tif 000011
【図１０】
2011007940.tif 000012
【図１１】
2011007940.tif 000013
【図１２】
2011007940.tif 000014